(57)【特許請求の範囲】
【請求項１】
両端に壁面に向ってＬ型に屈曲した樹脂製の屈曲取付部２を連設したアルミ管４の外周に樹脂管５を被覆した主体６の外周面に多数の凸起７を一体的に形成し、前記屈曲取付部２はそれ自体でＬ型形状の外観を完成してカバーを省略して構成し、該屈曲取付部２には、主体６側の取付穴２０に挿入する取付用突起１９および前記壁面に当接する当接面８と一本の取付ボルト９の挿入孔１０を夫々形成し、該挿入孔１０は外側から前記取付ボルト９を挿入できる形状で前記当接面８側に前記取付ボルト９の頭１１を係止する段部１２を形成し、前記挿入孔１０には止着後蓋をするスリット１８のある蓋体１３を取付け、該蓋体１３の外面は前記屈曲取付部２の外面形状に合わせて形成され、前記当接面８と前記壁面の間には樹脂製パッキン１４を取付け、該樹脂製パッキン１４には前記当接面８に形成した係合孔１６に係合する回り止め突起１５を設け、前記当接面８に形成する前記取付ボルト９の先端部が挿通する挿通孔１７は横長とした浴場等の握りバー。
【請求項２】
請求項１において、左右中間には中間取付部３を取付けた浴場等の握りバー。
【発明の詳細な説明】
【０００１】
【産業上の利用分野】
本発明は、浴場等の握りバーに関するものである。
【０００２】
【従来技術】
従来、両端に壁面に向ってＬ型に屈曲した屈曲取付部を一体的に連設した主体を形成し、前記屈曲取付部の前記壁面に当接する当接面にはボルトを取付け、前記当接面と前記壁面の間には樹脂製パッキンを取付けたものは公知である。
【０００３】
【発明が解決しようとする課題】
公知のものは、壁面に向ってＬ型に屈曲した屈曲取付部を主体の両端に一体的に連設していて、屈曲取付部と主体とは一体であったから、成形が面倒で型代金が高価になる課題と、梱包が嵩張る課題があり、また、前記屈曲取付部には壁面に取付けるボルトを固定していたので、取付作業が面倒であった。
【０００４】
【課題を解決するための手段】
よって、本発明は、両端に壁面に向ってＬ型に屈曲した樹脂製の屈曲取付部２を連設したアルミ管４の外周に樹脂管５を被覆した主体６の外周面に多数の凸起７を一体的に形成し、前記屈曲取付部２はそれ自体でＬ型形状の外観を完成してカバーを省略して構成し、該屈曲取付部２には、主体６側の取付穴２０に挿入する取付用突起１９および前記壁面に当接する当接面８と一本の取付ボルト９の挿入孔１０を夫々形成し、該挿入孔１０は外側から前記取付ボルト９を挿入できる形状で前記当接面８側に前記取付ボルト９の頭１１を係止する段部１２を形成し、前記挿入孔１０には止着後蓋をするスリット１８のある蓋体１３を取付け、該蓋体１３の外面は前記屈曲取付部２の外面形状に合わせて形成され、前記当接面８と前記壁面の間には樹脂製パッキン１４を取付け、該樹脂製パッキン１４には前記当接面８に形成した係合孔１６に係合する回り止め突起１５を設け、前記当接面８に形成する前記取付ボルト９の先端部が挿通する挿通孔１７は横長とした浴場等の握りバーとしたものである。
【０００５】
【実施例】
本発明の一実施例を図面により説明すると、１は浴場等の壁面に取付けられる握りバー全体で、その両端には壁面に向ってＬ型に屈曲した樹脂製の屈曲取付部２を取付け、場合により左右中間に中間取付部３を取付ける。前記握りバー１の主体６はアルミ管４の外周に樹脂管５を設けた構成で、前記屈曲取付部２および中間取付部３を接続して形成する。前記主体６の外周面には、多数の凸起７を一体的に形成している。前記屈曲取付部２は壁面に当接する当接面８と取付ボルト９の挿入孔１０を有している。挿入孔１０は外側から取付ボルト９を挿入できる形状であり、当接面８側に、挿入した取付ボルト９の頭１１を係止する段部１２を有する。１３は前記挿入孔１０に蓋をする蓋体であり、外面は屈曲取付部２の形状に合わせ形成される。
【０００６】
前記当接面８と前記壁面の間には、樹脂製パッキン１４を取付ける。１５は樹脂製パッキン１４に設けた回り止め突起、１６は回り止め突起１５が係合する当接面８に設けた係合孔、１７は前記取付ボルト９の先端部が挿通する横長挿通孔、１８は蓋体１３に形成したスリット、１９は屈曲取付部２及び中間取付部３に突出形成した取付用突起、２０は取付用突起１９が挿入される主体６側の取付穴である。
【０００７】
【作用】
次に作用を述べる。
本発明は、前記の構成であるから、主体６の両側に形成された取付穴２０に屈曲取付部２か中間取付部３に一体的に設けた取付用突起１９を挿通させることによって握りバー１は形成され、屈曲取付部２の両側に形成されている挿入孔１０に取付ボルト９の先端を挿入し、屈曲取付部２の当接面８に樹脂製パッキン１４を当接し、樹脂製パッキン１４の回り止め突起１５を当接面８の係合孔１６に係合させてから壁面に螺着し、ついで、挿入孔１０に蓋体１３を装着すれば取付けは終了する。
【０００８】
【発明の効果】
公知のものは、壁面に向ってＬ型に屈曲した屈曲取付部を主体の両端に一体的に連設していて、屈曲取付部と主体とは一体であったから、成形が面倒で型代金が高価になる課題と、梱包が嵩張る課題があり、また、前記屈曲取付部には壁面に取付けるボルトを固定していたので、取付作業が面倒であった。
しかるに、本発明は、両端に壁面に向ってＬ型に屈曲した樹脂製の屈曲取付部２を連設したアルミ管４の外周に樹脂管５を被覆した主体６の外周面に多数の凸起７を一体的に形成し、前記屈曲取付部２はそれ自体でＬ型形状の外観を完成してカバーを省略して構成し、該屈曲取付部２には、主体６側の取付穴２０に挿入する取付用突起１９および前記壁面に当接する当接面８と一本の取付ボルト９の挿入孔１０を夫々形成し、該挿入孔１０は外側から前記取付ボルト９を挿入できる形状で前記当接面８側に前記取付ボルト９の頭１１を係止する段部１２を形成し、前記挿入孔１０には止着後蓋をするスリット１８のある蓋体１３を取付け、該蓋体１３の外面は前記屈曲取付部２の外面形状に合わせて形成され、前記当接面８と前記壁面の間には樹脂製パッキン１４を取付け、該樹脂製パッキン１４には前記当接面８に形成した係合孔１６に係合する回り止め突起１５を設け、前記当接面８に形成する前記取付ボルト９の先端部が挿通する挿通孔１７は横長とした浴場等の握りバーとしたものであるから、
（イ）両端に壁面に向ってＬ型に屈曲した樹脂製の屈曲取付部２を主体６に連設したから、屈曲取付部２と主体６が別物なので製造容易である。
（ロ）主体６はアルミ管４の外周に樹脂管５を被覆した構成だから、肌さわりがよく堅牢である。
（ハ）主体６は外周面に多数の凸起７を一体的に形成したから、滑り止めになる。
（ニ）屈曲取付部２には壁面に当接する当接面８と取付ボルト９の挿入孔１０を形成したから、挿入孔１０に取付ボルト９を後から挿入できるので、取付作業容易になる。
（ホ）当接面８側に取付ボルト９の頭１１を係止する段部１２を形成したから、取付ボルト９の取付け容易である。
（ヘ）前記挿入孔１０には止着後蓋をするスリット１８のある蓋体１３を取付け、蓋体１３の外面は屈曲取付部２の外面形状に合わせて形成されているから、外観優美である。
（ト）前記当接面８と壁面の間には樹脂製パッキン１４を取付け、樹脂製パッキン１４には当接面８に形成した係合孔１６に係合する回り止め突起１５を設けたから、樹脂製パッキン１４を確実に取付けられる。
（チ）前記当接面８に形成する取付ボルト９の先端部が挿通する挿通孔１７は横長としたから、取付位置の微調節ができる。
【図面の簡単な説明】
【図１】  全体側面図。
【図２】  全体平面図。
【図３】  主体の一部断面図。
【図４】  屈曲取付部の一部断面図。
【図５】  屈曲取付部の底面図。
【図６】  樹脂製パッキンの底面図。
【図７】  樹脂製パッキンの一部断面図。
【図８】  蓋体の側面図。
【図９】  蓋体の底面図。
【符号の説明】
１…握りバー、２…屈曲取付部、３…中間取付部、４…アルミ管、５…樹脂管、６…主体、７…凸起、８…当接面、９…取付ボルト、１０…挿入孔、１１…頭、１２…段部、１３…蓋体、１４…樹脂製パッキン、１５…回り止め突起、１６…係合孔、１７…横長挿通孔、１８…スリット、１９…取付用突起、２０…取付穴。
【図１】
0004132221.tif 000002
【図２】
0004132221.tif 000003
【図３】
0004132221.tif 000004
【図４】
0004132221.tif 000005
【図５】
0004132221.tif 000006
【図６】
0004132221.tif 000007
【図７】
0004132221.tif 000008
【図８】
0004132221.tif 000009
【図９】
0004132221.tif 000010